(57)【特許請求の範囲】
【請求項１】
前後の移動により開閉される引出しの前面部に、該引出しとは独立して構成される補助収納具を備えた引出し構造であって、前記補助収納具は、閉じた際にその収納保持部が前記引出し前面部に設けられた閉鎖板により覆われて引出しと遮蔽状態に仕切られ、かつ前記引出しの開閉のための前後移動とは独立して開閉されることを特徴とする補助収納具を備えた引出し構造。
【請求項２】
前記閉鎖板は、補助収納具を閉じた際に、内部に該補助収納具に設けた収納保持部が収容されるように、箱状に形成されていることを特徴とする請求項１に記載の補助収納具を備えた引出し構造。
【請求項３】
前記補助収納具は前面板を有し、該前面板の裏面に収納保持部が設けられていることを特徴とする請求項１または２に記載の補助収納具を備えた引出し構造。
【請求項４】
前記補助収納具は揺動運動によって開閉される請求項１ないし３の何れかに記載の補助収納具を備えた引出し構造。
【請求項５】
前記引出しの前面部と前記補助収納具との間に、該補助収納具を閉位置で保持し、手動で開放可能なロック機構を有している請求項１ないし４の何れかに記載の補助収納具を備えた引出し構造。
【請求項６】
前記閉鎖板が透明体で構成されている請求項１ないし５の何れかに記載の補助収納具を備えた引出し構造。
【発明の詳細な説明】
【０００１】
【発明の属する技術分野】
本発明は、前後の移動により開閉される引出しに関する。
【０００２】
【従来の技術】
従来より、多種の収納物を取り出し可能に隠蔽収容するために引出しが使用されており、この種の引出しは、収納される収用物の大きさや種類によって各種構造のものが採用されている。
【０００３】
例えば、小物を収納する引出しは浅い構造に構成され、大物を収納する引出しは深い構造で構成されており、これらの引出しの収納部内に収納される収納物は、引出しの収納部内に例えば仕切り板等を配置して整理して収容することにより、引出しを引出した際に容易に取り出すことができるようになっている。
【０００４】
【発明が解決しようとしている課題】
このように内部が仕切られた収納部内に収納される収納物は、比較的使用頻度の高いものを手前側に収納するように配置することにより、引出しを大きく引き出さずに取り出すことができるように工夫がされている。
【０００５】
ところが、取り出された収納物は元の位置に戻されずに、別の仕切り部内に戻されることもあり、収納部内の手前側に折角整列されて収納されていても別の仕切り部内に戻されてしまうと、使用頻度の低い収納物と混在するため探し出す手間が掛かり結果的に収納物を取り出すのに時間がかかる不便さを有していた。
【０００６】
一方、引出しに収納される収納物として野菜や廃棄物のような臭気を発するようなものと、他の頻繁に使用するものとを区分けしても、一緒に収納してあると使用頻度の高い収納物を使用する度に臭気が室内に発散し、不快感を感じることがあった。
【０００７】
本発明は、このような問題点に着目してなされたもので、引出し本体に収納される例えば臭気を発するようなもの等に影響されることなく、使用頻度の高い収納物を容易に且つ独立して収納し、または取り出すことができる補助収納具を備えた引出し構造を提供することを目的とする。
【０００８】
【課題を解決するための手段】
上記目的を達成するために、本発明の補助収納具を備えた引出し構造は、前後の移動により開閉される引出しの前面部に、該引出しとは独立して構成される補助収納具を備えた引出し構造であって、前記補助収納具は、閉じた際にその収納保持部が前記引出し前面部に設けられた閉鎖板により覆われて引出しと遮蔽状態に仕切られ、かつ前記引出しの開閉のための前後移動とは独立して開閉されることを特徴としている。
この特徴によれば、引出しを引き出すことなく、使用頻度の高い収納物を容易に収納し、または取り出すことができ、また、補助収納具が引出しと独立しているので、引出し本体に収容されているものと混在してしまう恐れがなく、しかも引出し前面部が閉鎖板によって引出しと遮蔽状態に仕切られているので、補助収納物が引出し本体に収容されている他の収納物と混在してしまう恐れがない。
【０００９】
上記補助収納具を備えた引出し構造において、前記閉鎖板は、補助収納具を閉じた際に、内部に該補助収納具に設けた収納保持部が収容されるように、箱状に形成されていることが好ましい。
このようにすれば、収納保持部を箱状の閉鎖板により覆うことができる。
【００１０】
上記補助収納具を備えた引出し構造において、前記補助収納具は前面板を有し、該前面板の裏面に収納保持部が設けられていることが好ましい。
このようにすれば、例えば、シンク等が前方に形成されていても前面板とシンクとの間の浅い空間部を利用して補助収納具を納めることができる。
【００１１】
上記補助収納具を備えた引出し構造において、前記補助収納具は揺動運動によって開閉されるようになっていることが好ましい。
このようにすれば、揺動可能に構成されているので、片側のみを開閉するだけで、大きく開口させることができる。
【００１２】
上記補助収納具を備えた引出し構造において、前記引出しの前面部と前記補助収納具との間に、該補助収納具を閉位置で保持し、手動で開放可能なロック機構を有していることが好ましい。
このようにすれば、補助収納具を閉位置で保持することにより、引出し本体を前後移動させて使用している時に、補助収納具が自然に開放される恐れがない。
【００１３】
上記補助収納具を備えた引出し構造において、前記閉鎖板が透明体で構成されていることが好ましい。
このようにすれば、閉鎖板で仕切られた奥の収容物を補助収納具側から確認することができる。
【００１５】
【発明の実施の形態】
以下、本発明の実施例を図１〜図３に基づいて説明する。
【００１６】
先ず図１は、本発明の一実施形態に係る補助収納具を備えた引出し構造の引出しが採用された流し台の斜視図、図２は本発明の一実施形態に係る補助収納具を備えた引出し構造の断面図であって、（ａ）は補助収納具が開放された状態を示し、（ｂ）は補助収納具が閉塞された状態を示す引出し構造の断面図であり、図３の（ａ）はロック状態にあるロック機構の部分断面図、（ｂ）はロックが解除された状態にあるロック機構の部分断面図である。
【００１７】
図１〜図３により本発明の補助収納具を備えた引出し構造に付き説明する。
【００１８】
符号１は、天板２にシンク４、ガス台（不図示）などを備えた流し台を示し、この流し台１の前面には、上下に引出し５、６ａ、６ｂが出し入れ可能に収容されている。
【００１９】
上部の引出し５は、シンク４下方に形成される空間に、また下部の引出し６ａ、６ｂは上部引出し５の直下に配置されている。
【００２０】
上部の引出し５は、図２に示すように、収納物を収納する収納箱８と、該収納箱８の前端に取付けられた四角形状の前面開口枠１０と、該前面開口枠１０内に前面開口枠１０の開口部を隠蔽すべく下端が下方枠に図示しない揺動軸を介して揺動可能に枢着された補助収納具１４とから構成されている。
【００２１】
前面開口枠１０の上端には上部の引出し５を引出し操作する取手１２が設けられており、補助収納具１４は、前面開口枠１０内に揺動軸を中心として開閉可能に枢着され、前面板１４ａの上端に設けられた取手１６を手前に引くことで揺動軸を中心として所定角度開放することができ、例えば包丁や小物が前面板１４ａの裏面側に設けられている収納保持部１８に上方から出し入れ可能に収納できるようになっている。
【００２２】
そして、前面板１４ａは、シンク４前方に形成される縦方向の浅い空間部をその厚みとして構成されており、補助収納具１４は、前面板１４ａの裏面側に厚みを利用した空間部が収納保持部１８として構成されている。そして、補助収納具１４は、閉塞時に前面開口枠１０の開口部が前面板１４ａによって隠蔽されるように前面開口枠１０の枢着部に係止された図示しないコイルばねを介して常時押圧付勢されている。
【００２３】
尚、補助収納具１４は、前面開口枠１０の開口部を閉塞するために、前面板１４ａをコイルばねの付勢力で常時押圧付勢するようにしているが、補助収納具１４の裏面にマグネットを配置し、磁力を利用して吸着し閉塞するようにしても良い。
【００２４】
一方、本発明に係わる下部の引出し６ａ、６ｂ（６ａのみ図示）は、図２の（ａ）、（ｂ）に示すように、後方に形成される収納箱３２を載置できる支持台Ｔと、この収納箱３２側と前方の上方が開口する箱状の補助収納具７ａとを遮蔽状態に仕切るべく閉鎖板３０とで構成されている。この補助収納具７ａは頻度の高い収納物の出し入れを行うためのもので、引出し６ａとは独立して揺動可能に軸支（揺動軸の回動軸心Ｏ）されている。また、補助収納具７ａの前面板２４の上端には取手２６ａがあり、前面板２４の裏面側には箱状の収納保持部２２ａが設けられている。
【００２５】
この補助収納具７ａを最下段に配置した場合は、前面板２４の下端が後方に凹んだ段差部がケコミ部２８として形成され、取手２６ａを手前に引くことで図示しない揺動軸の回動軸心Ｏを中心として補助収納具７ａを前側に倒して開放した場合に、図２（ａ）の２点鎖線で示すように、ケコミ部２８が床面に当接し、それ以上開放しないストッパーとして機能する。
【００２６】
そして、補助収納具７ａは、収納保持部２２ａの上面開口部が回動軸心Ｏから開口頂部に至る最大長さを半径とする円弧で構成されており、補助収納具７ａの占有する空間が極力無駄のないように形成されている。
【００２７】
この閉鎖板３０は、開口する上端に引出し６ａを前後方向に開閉するための取手２５が設けられ、また回動軸心Ｏを中心とする揺動運動によって補助収納具７ａが閉じた際に、内部に収納保持部２２ａが収容されるように、収納保持部２２ａの開口した上面及び両側面ないし後面を覆うように箱状に構成されている。
【００２８】
そして閉鎖板３０の上面部は、収納保持部２２ａの円弧形状に形成される開口頂部の半径に対し、同一の回動軸心Ｏを中心として若干長い半径で最小隙間となるよう円弧状に形成されている。この閉鎖板３０は収納箱３２側と補助収納具７ａ側とが確実に閉鎖できればよく、必ずしも箱状とする必要はなく、引出し６ａと補助収納具７ａとの相互の形状に基づいて適宜構成されるものである。
【００２９】
尚、この閉鎖板３０は、奥の引き出し６ａ側の収容物を補助収納具７ａ側から確認するために透明な樹脂板で成形してもよい。
【００３０】
次に、前面板２４の取手２６ａ内部に設けられたロック機構につき図３の（ａ）、（ｂ）を参照して説明する。図に示すように、前面板２４の取手２６ａの内部には、補助収納具７ａを閉鎖板３０に対し閉塞状態に保持するロック機構４２が組み込まれている。
【００３１】
取手２６ａは、前面板２４の上端前面が断面コ字形に凹設されていて、その底面２７ａに貫通形成された角穴２７ｂ内に周縁にフランジ４４ａが形成された箱体４４が装着されており、箱体４４内には取手１６の長手方向に沿って回転可能に支持される回転軸４５に操作ノブ４６が固定され、操作ノブ４６の下面は板ばね４８によって反時計方向に付勢されている。
【００３２】
回転軸４５は、補助収納具７ａを備えた前面板２４の両側面から若干突設しており、これら突設した回転軸４５には、前面板２４の両側面と閉鎖板３０の側面部の内側面とで形成される僅かな隙間に、先端に係止爪５０ａを形成した板状のフック５０が固定されている。
【００３３】
これらフック５０の係止爪５０ａに対応して閉鎖板３０の側面部の両内側面に係止片５２が突設しており、前面板２４を閉じた際にフック５０の係止爪５０ａが板ばね４８の付勢力により弾力的に係止され、前面板２４の閉塞状態が保持されるようになっている。
【００３４】
前面板２４が閉塞状態のときは、図３の（ａ）に示すように、フック５０の係止爪５０ａは、板ばね４８の付勢力によって両係止片５２に係止された状態となっている。
【００３５】
次いで、操作ノブ４６が板ばね４８の付勢力に抗して矢印方向（図３ｂ）に押圧されて、フック５０が時計回りに揺動し両係止片５２から係止爪５０ａが解除されと、前面板２４はフリーな状態となり、図２の（ａ）に示すように、回動軸心Ｏを中心として前傾し補助収納具７ａを所定角度開放することができる。
【００３６】
ここで、補助収納具７ａの開放に際し、前面板２４の下端にケコミ部２８の形状を適宜選定することで、補助収納具７ａが前方に揺動して前傾状態で大きく開放された場合にケコミ部２８が床面Ｆに当接する位置が変更でき、補助収納具７ａの開放量を調整することができる。
【００３７】
一方、補助収納具７ａを閉じる場合は、取手２６ａによりこの補助収納具７ａを開放状態から回動中心Ｏを中心として揺動させて、収納保持部２２ａが閉鎖板３０の内部に収容されると、フック５０の係止爪５０ａが両係止片５２を乗り越えて両係止片５２に係合し、同時に前面板２４上端の取手２６ａ裏面が、閉鎖板３０上部の取手２５と一体形成される前面の垂直壁面３０ａに当接して位置決めされる。
【００３８】
このように補助収納具７ａが閉じた状態で、下部の引出し６ａを前方に大きく引き出すことができ、これにより、内部に収容保持されている収納箱３２が外部に露呈されるので、この収納箱３２内に例えば生ゴミなどの廃棄物を投棄することができ、収納箱３２内に廃棄物等が所定量収容された場合には、収納箱３２を取り出して廃棄物を処理することができる。この際、ロック機構４２の働きで、引出し６ａを前後移動させて使用している時に、補助収納具７ａが自然に開放されるようなことはない。
【００３９】
このように構成された、本実施形態に係る補助収納具を備えた引出し構造によれば、引出し６ａまたは６ｂを引き出すことなく、使用頻度の高い収納物を容易に収納し、または取り出すことができ、また、補助収納具７ａ、７ｂが引出し６ａまたは６ｂと独立しているので、この収納物が引出し本体に収容されている他の収納物と混在してしまう恐れがなく、しかも引出しの前面板２４が閉鎖板３０によって仕切られているので、廃棄物などの臭気の強い収容物が引出し本体に収納されていても、臭気を発散させることなく補助収納具７ａ、７ｂを揺動運動等によって開閉することができる。
【００４０】
また、閉鎖板３０の上面部は、収納保持部２２ａの円弧形状に形成される開口頂部の半径に対し、同一回動軸心Ｏを中心として若干長い半径で最小隙間となるよう円弧状に形成されているので、補助収納具７ａ、７ｂの占有する空間が無駄のないように形成できる。
【００４１】
以上、本発明の実施例を図面により説明してきたが、具体的な構成はこれら実施例に限られるものではなく、本発明の要旨を逸脱しない範囲における変更や追加があっても本発明に含まれる。例えば、補助収納具を揺動運動で開閉するだけでなく、前後運動によって開閉されるように構成することで、使用頻度の高い、特に横に倒すことが適さない収納物を、少ない前後移動量で出し入れするようにしてもよい。
【００４２】
【発明の効果】
本発明によれば、次のような効果が得られる。
【００４３】
（ａ）請求項１に記載の発明によれば、引出しを引き出すことなく、使用頻度の高い収納物を容易に収納し、または取り出すことができ、また、補助収納具が引出しと独立しているので、引出し本体に収容されているものと混在してしまう恐れがなく、しかも引出し前面部が閉鎖板によって引出しと遮蔽状態に仕切られているので、補助収納物が引出し本体に収容されている他の収納物と混在してしまう恐れがない。
【００４４】
（ｂ）請求項２に記載の発明によれば、収納保持部を箱状の閉鎖板により覆うことができる。
【００４５】
（ｃ）請求項３に記載の発明によれば、例えば、シンク等が前方に形成されていても前面板とシンクとの間の浅い空間部を利用して補助収納具を納めることができる。
【００４６】
（ｄ）請求項４に記載の発明によれば、揺動可能に構成されているので、片側のみを開閉するだけで、大きく開口させることができる。
【００４７】
（ｅ）請求項５に記載の発明によれば、補助収納具を閉位置で保持することにより、引出し本体を前後移動させて使用している時に、補助収納具が自然に開放される恐れがない。
【００４８】
（ｆ）請求項６に記載の発明によれば、閉鎖板で仕切られた奥の収容物を補助収納具側から確認することができる。
【図面の簡単な説明】
【図１】本発明の一実施形態に係る補助収納具を備えた引出し構造の引出しが採用された流し台の斜視図である。
【図２】（ａ）は補助収納具が開放された状態を示し、（ｂ）は補助収納具が閉塞された状態を示す引出し構造の断面図である。
【図３】（ａ）はロック状態にあるロック機構の部分断面図、（ｂ）はロックが解除された状態にあるロック機構の部分断面図である。
【符号の説明】
１                        流し台
２                        天板
４                        シンク
５、６ａ、６ｂ            引出し
７ａ、１４                補助収納具
８                        収納箱
１０                      前面開口枠
１２、１６、２５、２６ａ  取手
１４ａ、２４              前面板
１８                      収納保持部
２２ａ                    収納保持部
２７ａ                    底面
２７ｂ                    角穴
２８                      ケコミ部
３０                      閉鎖板
３０ａ                    垂直壁面
３２                      収納箱
４２                      ロック機構
４４                      箱体
４４ａ                    フランジ
４５                      回転軸
４６                      操作ノブ
５０                      フック
５０ａ                    係止爪
５２                      係止片
Ｆ                        床面
Ｔ                        支持台
Ｏ                        回動軸心
【図１】
0003958966.tif 000002
【図２】
0003958966.tif 000003
【図３】
0003958966.tif 000004